(57)【要約】【課題】  製造コストを低減化できるとともに、煩雑な手間を要することなく、電話機能等における音量調整を極めて容易に行える端末装置を提供する。【解決手段】  ファクシミリ装置１は、回線閉結状態において受話器１０を介して通話できる電話機能を有する。ファクシミリ装置１は、回線閉結状態であるか否かを判別する制御部１７を備える。この制御部１７は、音量調節キー１６ａ、１６ｂを、回線閉結状態の場合には、通話の音量調節キーとして作動させ、回線非閉結状態の場合には、解像度変更及び着信モード変更の機能キーとして作動させる。【選択図】  図２
2006191680.tif 000002
【特許請求の範囲】
【請求項１】
回線閉結状態において、ハンドセットもしくはスピーカを介して相手先の音声を出力し、通話を行う電話機能を備えた端末装置において、
前記電話機能において相手先からの受話音量を調節するために操作される音量調節キーと、
回線閉結状態であるか否かを判別する回線状態判別手段と、
前記ハンドセットにより通話が行われているか否かを判別する通話状態判別手段と、
前記回線状態判別手段により回線が閉結状態であると判別され、かつ前記通話状態判別手段により、前記ハンドセットによる通話であると判別された場合に、前記音量調節キーによる操作をハンドセットによる通話音量の変更として受け付け、前記ハンドセットの受話音量を変更するように制御し、前記回線状態判別手段により回線が閉結状態であると判別され、かつ前記通話状態判別手段により、前記ハンドセットによる通話でないと判別された場合に、前記音量調節キーによる操作をスピーカによる通話音量の変更として受け付け、前記スピーカの音量を変更するように制御する制御手段と、
を備えたことを特徴とする端末装置。
【請求項２】
留守番電話機能により相手先からの音声情報を記憶し、再生操作が行われた場合にその音声情報を前記スピーカにより出力する音声再生モードを備え、
前記音声再生モードであるか否かを判別する音声再生モード判別手段と、
前記回線状態判別手段により回線が閉結状態でないと判別され、かつ前記音声再生モード判別手段により、前記音声再生モードであると判別された場合に、
前記制御手段は、前記音量調節キーによる操作をスピーカによる再生音量の変更として受け付け、前記スピーカの音量を変更するように制御することを特徴とする請求項１に記載の端末装置。
【請求項３】
前記回線状態判別手段により回線が閉結状態でないと判別され、かつ前記音声再生モード判別手段により音声再生モードではないと判別された場合に、
前記制御手段は、前記音声調節キーによる操作を着信モードの変更として受け付け、着信モードの設定を変更するように制御することを特徴とする請求項２に記載の端末装置。
【請求項４】
原稿を読み取る読取部に原稿がセットされているか否かを検出する原稿検出手段をさらに備え、
前記原稿検出手段により前記読取部に原稿がセットされていると検出された場合に、
前記制御手段は、前記回線状態判別手段による判別結果に関係なく、前記音声調節キーによる操作を解像度の変更として受け付け、前記読取部による原稿読み取りの解像度の設定を変更するように制御することを特徴とする請求項１乃至３のいずれかに記載の端末装置。
【請求項５】
原稿を読み取る読取部に原稿がセットされているか否かを検出する原稿検出手段をさらに備え、
前記原稿検出手段により前記読取部に原稿がセットされていると検出された場合に、
前記制御手段は、前記回線状態判別手段による判別結果に関係なく、前記音声調節キーによる操作を前記着信モードの変更として受け付け、着信モードの設定を変更するように制御することを特徴とする請求項１乃至３のいずれかに記載の端末装置。
【請求項６】
前記音声調節キーは、２つの操作部から構成され、
原稿を読み取る読み取り部に原稿がセットされているか否かを検出する原稿検出手段をさらに備え、
前記原稿検出手段により前記読取部に原稿がセットされていると検出された場合に、
前記制御手段は、前記２つの操作部の内の一方のキーが操作された時には、解像度の設定を変更として受け付け、他方のキーが操作された時には、着信モードの変更として受け付け、前記読取部による原稿読み取りの解像度の設定、または着信モードの設定を変更するように制御することを特徴とする請求項１乃至３のいずれかに記載の端末装置。
【発明の詳細な説明】
【技術分野】
【０００１】
本発明は、例えば、ファクシミリ装置、電話機等からなる端末装置に関し、特に、電話機能等における音量調整キーを有効に利用することができる端末装置に関するものである。
【背景技術】
【０００２】
近年、ファクシミリ装置は多機能化し、コピー機能、留守番電話機能等の各種の機能を搭載し、１台の装置でそれぞれの機能を行い得る。
【０００３】
このファクシミリ装置において、各機能を実行するためフロントパネルに多数のキーを設けているが、各機能に対応した独立キーをそれぞれ設けるとコストアップの要因となる。また、ファンクションキーと組み合わせたキー操作により、各機能状態に設定する場合、キーの個数が減ってコストダウンするが、一般的に操作性が悪くなる。
【発明の開示】
【発明が解決しようとする課題】
【０００４】
特に、電話機能の音量調整用キーは、利用者の使い勝手を高めるための必須のキーであるが、このキーは、それほどの使用頻度がある訳ではなく、コストアップ等を考慮すれば、独立キーを設けるほどの必要性は乏しい。一方、単なるファンクションキーと組み合わせたキー操作による電話機の音量調整の場合、使用頻度の少なさ故に、利用者はマニュアル等を一々見て操作することが多く、煩雑な手間を要するといった問題がある。
【０００５】
また、スピーカを介して音声を出力する機能を有する端末装置において、その音量調整キーも、電話機能の音量調整用キーの場合と同様のことがいえる。
【０００６】
本発明は、前記従来の問題点を解消するためになされたものであり、音量調整キーを有効に利用して、製造コストを低減化できるとともに、電話機能等における音量調整等を極めて容易する端末装置を提供することを目的とする。
【課題を解決するための手段】
【０００７】
この目的を達成するために、請求項１記載の端末装置は、回線閉結状態において、ハンドセットもしくはスピーカを介して相手先の音声を出力し、通話を行う電話機能を備えた端末装置において、前記電話機能において相手先からの受話音量を調節するために操作される音量調節キーと、回線閉結状態であるか否かを判別する回線状態判別手段と、前記ハンドセットにより通話が行われているか否かを判別する通話状態判別手段と、前記回線状態判別手段により回線が閉結状態であると判別され、かつ前記通話状態判別手段により、前記ハンドセットによる通話であると判別された場合に、前記音量調節キーによる操作をハンドセットによる通話音量の変更として受け付け、前記ハンドセットの受話音量を変更するように制御し、前記回線状態判別手段により回線が閉結状態であると判別され、かつ前記通話状態判別手段により、前記ハンドセットによる通話でないと判別された場合に、前記音量調節キーによる操作をスピーカによる通話音量の変更として受け付け、前記スピーカの音量を変更するように制御する制御手段と、を備えたことを特徴とする。
【０００８】
このような端末装置において、制御手段は、回線状態判別手段が回線閉結状態であると判別し、かつ通話状態判別手段がハンドセットによる通話であると判別した場合には、音量調節キーの操作をハンドセットの通話音量の変更と受け付け、一方、回線状態判別手段が回線閉結状態であると判別し、かつ通話状態判別手段がハンドセットによる通話でないと判別した場合には、音量調節キーの操作をスピーカの通話音量の変更として受け付ける。
【０００９】
また、請求項２記載の端末装置は、留守番電話機能により相手先からの音声情報を記憶し、再生操作が行われた場合にその音声情報を前記スピーカにより出力する音声再生モードを備え、前記音声再生モードであるか否かを判別する音声再生モード判別手段と、前記回線状態判別手段により回線が閉結状態でないと判別され、かつ前記音声再生モード判別手段により、前記音声再生モードであると判別された場合に、前記制御手段は、前記音量調節キーによる操作をスピーカによる再生音量の変更として受け付け、前記スピーカの音量を変更するように制御することを特徴とする。
【００１０】
このような端末装置において、制御手段は、回線状態判別手段が回線非閉結状態であると判別し、かつ音声再生モード判別手段が音声再生モード中であると判別した場合には、音量調節キーの操作をスピーカの再生音量の変更として受け付ける。
【００１１】
また、請求項３記載の端末装置は、前記回線状態判別手段により回線が閉結状態でないと判別され、かつ前記音声再生モード判別手段により音声再生モードではないと判別された場合に、前記制御手段は、前記音声調節キーによる操作を着信モードの変更として受け付け、着信モードの設定を変更するように制御することを特徴とする。
【００１２】
このような端末装置において、制御手段は、回線状態判別手段が回線非閉結状態であると判別し、かつ音声再生モード判別手段が音声再生モード中でないと判別した場合には、音量調節キーの操作を着信モードの変更として受け付ける。
【００１３】
また、請求項４記載の端末装置は、原稿を読み取る読取部に原稿がセットされているか否かを検出する原稿検出手段をさらに備え、前記原稿検出手段により前記読取部に原稿がセットされていると検出された場合に、前記制御手段は、前記回線状態判別手段による判別結果に関係なく、前記音声調節キーによる操作を解像度の変更として受け付け、前記読取部による原稿読み取りの解像度の設定を変更するように制御することを特徴とする。
【００１４】
このような端末装置において、制御手段は、原稿検出手段が読取部に原稿がセットされていると検出した場合には、回線状態判別手段による判別に関係なく、音量調節キーの操作を読取部による原稿読み取りの解像度の変更として受け付ける。
【００１５】
また、請求項５記載の端末装置は、原稿を読み取る読取部に原稿がセットされているか否かを検出する原稿検出手段をさらに備え、前記原稿検出手段により前記読取部に原稿がセットされていると検出された場合に、前記制御手段は、前記回線状態判別手段による判別結果に関係なく、前記音声調節キーによる操作を前記着信モードの変更として受け付け、着信モードの設定を変更するように制御することを特徴とする。
【００１６】
このような端末装置において、制御手段は、原稿検出手段が読取部に原稿がセットされていると検出した場合には、回線状態判別手段による判別に関係なく、音量調節キーの操作を着信モードの変更として受け付ける。
【００１７】
さらに、請求項６記載の端末装置は、前記音声調節キーは、２つの操作部から構成され、
原稿を読み取る読み取り部に原稿がセットされているか否かを検出する原稿検出手段をさらに備え、前記原稿検出手段により前記読取部に原稿がセットされていると検出された場合に、前記制御手段は、前記２つの操作部の内の一方のキーが操作された時には、解像度の設定を変更として受け付け、他方のキーが操作された時には、着信モードの変更として受け付け、前記読取部による原稿読み取りの解像度の設定、または着信モードの設定を変更するように制御することを特徴とする。
【００１８】
このような端末装置において、制御手段は、原稿検出手段が読取部に原稿がセットされていると検出した場合には、回線状態判別手段による判別に関係なく、２つの操作部から成る音量調節キーの操作をそれぞれ解像度の設定変更、または着信モードの設定変更として受け付ける。
【発明の効果】
【００１９】
請求項１記載の端末装置によれば、利用者は、ハンドセットを使用して回線閉結状態にした状態で、音量調節キーを操作した場合には、ハンドセットによる通話の音量調整を行うことができ、ハンドセットを使用せずに回線閉結状態にした状態で、音量調節キーを操作した場合には、スピーカによる通話の音量調節を行うことができ、ハンドセットによる通話の場合と、スピーカによる通話の場合とで音量調節キーを共用できるため、キーの個数が減って製造コストが低減化する。
【００２０】
請求項２記載の端末装置によれば、利用者は、回線非閉結状態にすると共に音声再生モードに設定した状態で、音量調節キーを操作した場合には、スピーカによる再生音量の調節を行うことができ、音声再生モードにおけるスピーカの再生音量を調節するための専用キーを設ける必要がない。
【００２１】
請求項３記載の端末装置によれば、利用者は、回線非閉結状態にすると共に音声再生モードに設定していない状態で、音量調節キーを操作した場合には、着信モードの変更を行うことができ、着信モードを変更するための専用キーを設ける必要がない。
【００２２】
請求項４に記載の端末装置によれば、原稿検出手段が原稿が読取位置にセットされていることを検出した場合に、音量調節キーは解像度の変更の機能を果たす。従って、従来それぞれ必要であった、音量調節キー及び解像度変更キーが共通化するので、キーの個数が減って製造コストが低減化する。このように音量調節キー及び解像度変更キーを共通化した理由は、利用者は原稿を読取位置にセットした場合、原稿のコピーまたはファクシミリ送信等を行うつもりであって、音量調節キーを用いて音量調節する意図はほとんど無いと考えられるからである。
【００２３】
請求項５に記載の端末装置によれば、原稿検出手段が原稿が読取位置にセットされていることを検出した場合に、音量調節キーは着信モードの変更の機能を果たす。従って、従来それぞれ必要であった、音量調節キー及び着信モード変更キーが共通化するので、キーの個数が減って製造コストが低減化する。このように音量調節キー及び着信モード変更キーを共通化した理由は、利用者は原稿を読取位置にセットした場合、原稿のコピーまたはファクシミリ送信等を行うつもりであって、音量調節キーを用いて音量調節する意図はほとんど無いと考えられるからである。
【００２４】
請求項６に記載の端末装置によれば、原稿検出手段が原稿が読取位置にセットされていることを検出した場合に、２つの操作部から構成される音量調節キーは、解像度の変更または着信モードの変更の機能を果たす。従って、従来それぞれ必要であった、音量調節キーと、解像度変更キー及び着信モード変更キーとが共通化するので、キーの個数が減って製造コストが低減化する。
【発明を実施するための最良の形態】
【００２５】
以下、本発明に係る端末装置について、ファクシミリ装置につき具体化した実施形態に基づいて図面を参照しつつ詳細に説明する。先ず、本実施形態に係るファクシミリ装置の概略構成について図１に基づき説明する。尚、図１はファクシミリ装置の外観斜視図である。
【００２６】
図１において、ファクシミリ装置１は装置本体２を有し、装置本体２の右側面には、電源コード３及び子機（図示せず）と通話するためのアンテナ４が付設されている。また、装置本体２の上面には、操作パネルユニット５が配設されており、この操作パネルユニット５には、表示装置としての液晶ディスプレイ６が配設されている。また、操作パネルユニット５の前記アンテナ４側の下方には、音声を入力する入力手段としてのマイクＭが配設されている。
【００２７】
また、装置本体２の後方位置には、読み取り原稿を積層した状態でスタックする原稿スタッカ７が設けられており、更に、原稿スタッカ７の後方位置には用紙サポート８が配置されている。更に、装置本体２の左方側には、受話器載置部９が設けられており、この受話器載置部９上にはハンドセット（以下、受話器ともいう）１０が載置される。
【００２８】
また、操作パネルユニット５の右下側には、ファクシミリ送信をスタートさせるためのスタートキーＰが配置されている他に、ファクシミリ装置１として必要な各種のキーが、操作パネルユニット５上に適宜配置されている。更に、装置本体２右側側壁の下方には、音声出力用のスピーカ２７が配置されている。
【００２９】
次に、前記操作パネルユニット５上に配置されたキー群の機能について図２に基づき説明する。図２は装置本体２に備えられる操作パネルユニット５の正面図である。図２において、操作パネルユニット５上で左側には、ダイアル入力を行うためのダイアルキー１１が配置されている。このダイアルキー１１は、「１」乃至「０」の数値キーの他に、アスタリスクキー１２、及び、シャープキー１３を包含する。また、ダイアルキー１１の左下側にはスピーカホンキー１４が配置されており、このスピーカホンキー１４は、受話器１０による通話をマイクＭ及びスピーカ２７による通話に切り換えて、受話器１０を取ることなく通話できるスピーカホンモードを設定するためのキーである。
【００３０】
また、液晶ディスプレイ６の右側側方には、留守番電話機能部１５が配設されており、この留守番電話機能部１５を動作させるための、録音キー１５ａ、消去キー１５ｂ、及び、再生キー１５ｃが並設されている。また、液晶ディスプレイ６とダイアルキー１１との間には、５個の機能キー１６が並設されており、これらの内の左側の２個が、押下時間に比例して音量を増加させる音量調節キー１６ａ及び押下時間に比例して音量を減小させる音量調節キー１６ｂとなる。そして、音量調節キー１６ａが、一定条件下で、解像度変更キーとなり、また、音量調節キー１６ｂが着信モード変更キーとになる。尚、他の実施の形態としては、これら２個のキー１６ａ、１６ｂの両方を操作することにより、解像度変更キーもしくは着信モード変更キーとなるように構成しても良い。
【００３１】
続いて、前記ファクシミリ装置１の制御系について図３に基づき説明する。図３はファクシミリ装置１の制御系を示すブロック図である。図３において、ファクシミリ装置１の制御系は、ＣＰＵを核として構成された制御部１７を有する。制御部１７には、ＲＯＭ１８及びＲＡＭ１９が接続されている。ここに、ＲＯＭ１８は、図４に示される制御プログラム、その他ファクシミリ機能を実行するのに必要な各種のプログラムを記憶する。
【００３２】
また、ＲＡＭ１９は、ＣＰＵを介して演算された各種のデータを一時的に記憶するものであり、ＲＡＭ１９には、図３に示すように音声情報等を記憶する記憶エリア１９Ａ、及び、画像情報等を記憶する記憶エリア１９Ｂが設けられている。この記憶エリア１９Ｂには、相手方から受信された情報がファクシミリ情報の場合、このファクシミリ情報が記憶され、また、ファクシミリ装置１を用いてメモり送信する場合に、送信用のファクシミリ情報が記憶される。また、相手方から受信された情報が音声情報の場合、または、前記マイクＭから入力された音声情報の場合、前記留守番電話機能部１５でデジタル信号に変換されて、そのデジタル音声情報が記憶エリア１９Ａに記憶される。
【００３３】
ここで、ファクシミリ装置１が留守番電話として機能する場合、留守番電話機能部１５が動作するので、相手方から受信された音声情報、または、利用者による録音キー１５ａの操作時にマイクＭから入力された音声情報は、留守番電話機能部１５においてデジタル信号に変換されて、そのデジタル音声情報は記憶エリア１９Ａに記憶される。また、利用者が消去キー１５ｂを操作すると、留守番電話機能部１５は、記憶エリア１９Ａに記憶されたデジタル音声情報を消去する。また、利用者が再生キー１５ｃを操作すると、留守番電話機能部１５は、記憶エリア１９Ａに記憶されたデジタル音声情報をアナログ音声信号に変換して、アナログ音声信号をスピーカ２７から出力したり、あるいは、通信相手に対して電話回線２５等を介して出力する。尚、制御部１７は、留守番電話機能部１５の状態を監視することで、スピーカ２７による音声再生中か否かを判別することができる。
【００３４】
また、制御部１７には、液晶ディスプレイ（ＬＣＤ）６を有する操作パネルユニット５、原稿スタッカ７から装置本体２内に送給された読み取り原稿の文字、図形等を読み取るためのＣＣＤ装置（図示せず）を含む読取ユニット２０、及び、ＣＣＤ装置を駆動しながら原稿の送り制御等を行う駆動ユニット２０ａが接続されている。更に、制御部１７には、カッタ駆動モータ（図示せず）を介してカッタ（図示せず）を駆動して記録紙をカットする記録紙カッタユニット２１、電話回線２５を介して受信された画像情報を記録紙上にプリントアウトする印字ヘッド（図示せず）を含む記録ユニット２２、及び、印字ヘッドを駆動しながら記録紙の送り制御等を行う駆動ユニット２３が接続されている。また、制御部１７には、読取位置に原稿がセットされているか否かを検出するため、原稿検出手段としての原稿センサ２８が接続されている。
【００３５】
更に、前記制御部１７には、ＮＣＵ２４を介して通信回線としての電話回線２５が接続され、また、受話器１０はＮＣＵ２４に接続されている。更に、前記制御部１７は、音声信号を出力するためのスピーカ２７に接続されており、記憶エリア１９Ａ等に記憶されたデジタル情報は、留守番電話機能部１５においてアナログ音声信号に変換されるので、このアナログ音声信号が供給されたスピーカ２７は音声信号を出力する。そして、スピーカ２７が音声信号を出力する際の音声の大きさを制御するため、制御部１７はスピーカ２７に音量調整用の制御信号を出力する。具体的には、音量調節キー１６ａ、１６ｂの押下時間を検出する制御部１７は、その押下時間に比例した音量を出力させるための音量調整用の制御信号をスピーカ２７に出力する。
【００３６】
また、受話器１０が音声信号を出力する際の音声の大きさを制御するため、制御部１７は受話器１０に音量調整用の制御信号を出力する。具体的には、音量調節キー１６ａ、１６ｂの押下時間を検出する制御部１７は、その押下時間に比例した音量を出力させるための音量調整用の制御信号を受話器１０に出力する。また、前記制御部１７には、電源２９が接続されている。
【００３７】
この制御部１７は、ＮＣＵ２４の状態を監視することで、相手方と電話回線２５を介して通話または通信ができる回線閉結状態か、あるいは、通話及び通信ができない回線非閉結状態であるかを判別することができる。回線閉結状態とは、この実施の形態の場合、受話器載置部９から受話器１０が取られた場合（以下、受話器１０の使用状態ともいう）、及び、前記スピーカホンキー１４が押下されて通話可能な状態になった場合をいうが、制御部１７は、回線閉結状態であるか否かを判別できるので、回線状態判別手段を構成する。
【００３８】
また、制御部１７は、前記受話器載置部９上に受話器１０が載置されているか否かを検出することができるので、受話器１０が使用されているか否かを検出するハンドセット検出手段を構成する。更に、制御部１７は、スピーカホンキー１４が押下されて通話可能な状態であるか否かを判別することができるので、スピーカ出力モード判別手段を構成する。
【００３９】
前記のように構成されたファクシミリ装置１において、一般的なファクシミリ送信を行う場合には、原稿スタッカ７に読み取り原稿をセットするとともに、ダイアルキー１１の操作により、送信先のファクシミリ番号を入力した後、操作パネルユニット５上のスタートキーＰを押下する。これにより、読み取り原稿がファクシミリ装置１内に搬送され、制御部１７の制御の下に、原稿の画像データが読取ユニット２０を介して読み取られるとともに、圧縮及び変調された画像データが、ＮＣＵ２４及び電話回線２５を介して送信相手先に送信される。
【００４０】
また、相手方から画像データが電話回線２５、ＮＣＵ２４を介してファクシミリ装置１に送信されて来た際には、その画像データを受信した制御部１７は、復調及び復元されるので、記録ユニット２２の印字ヘッド及び駆動ユニット２３を駆動制御しながら、装置本体２内に収納されている記録紙上に画像データを印字させる。その印字終了後、制御部１７は記録紙カッタユニット２１を駆動して印字済みの記録紙をカットすることにより、受信動作が終了する。
【００４１】
ここで、読取ユニット２０で入力される画像情報と、読取解像度の変更との関係について説明する。副走査方向における読取解像度は、読取位置への原稿の副走査方向搬送量と読取ユニット２０の読取タイミングとの関係によって以下のように決定される。すなわち、例えば、１インチ当たり３００個の画素を読み取る場合、１インチを３００で割った距離（約０．０８ｍｍ）だけ搬送される度に読取ユニット２０により読み取りが行われるのに対し、１インチ当たり２００個を読み取る場合、１インチを２００で割った距離（約０．１２ｍｍ）だけ搬送される度に読取ユニット２０により読み取りが行われる。このように読み取りを行なう際の副走査方向の原稿搬送量が小さければ、１インチ当たりの読み取る画素数が多くなって、読取解像度は高くなるのに対して、読み取りを行なう際の副走査方向の原稿搬送量が大きければ、１インチ当たりの読み取る画素数が少なくなって、読取解像度は小さくなる。
【００４２】
そして、前記音量調節キー１６ａが、一定条件下で、解像度変更キー１６ａとなった場合で、利用者が解像度変更キー１６ａを操作して、「細かい読取」または「普通の読取」に切り換えると、例えば、１平方インチ当たり３００×３００（主走査方向画素数×副走査方向画素数）の読取解像度、または、１平方インチ当たり３００×２００（主走査方向画素数×副走査方向画素数）の読取解像度に変更できるので、読取ユニット２０はその読取解像度で原稿上の画像データを読み取ることができる。
【００４３】
次に、読取ユニット２０で入力される画像情報を、記録部としての記録ユニット２２が記録動作するコピー動作について説明する。読み取り原稿が装置本体２内に搬送されると、制御部１７の制御の下に、原稿の画像データが読取ユニット２０を介して読み取られるとともに、画像データが記録ユニット２２に供給されるので、記録ユニット２２の印字ヘッド及び駆動ユニット２３は、装置本体２内に収納されている記録紙上に画像データを印字させる。その印字終了後、制御部１７は、記録紙カッタユニット２１を駆動して印字済みの記録紙をカットすることにより、コピー動作を終了する。尚、ここでは、簡略的に、１個の入力された画像データは、記録用紙に記録された１つの画素と対応しているとする。
【００４４】
そして、副走査方向におけるコピー動作の記録密度は、記録位置への記録用紙の副走査方向の搬送量と記録ユニット２２の記録タイミングとの関係によって決定される。すなわち、１インチ当たり３００個分の画素を記録する場合、１インチを３００で割った距離（約０．０８ｍｍ）だけ搬送される度に記録ユニット２２によって記録動作が行われるのに対し、１インチ当たり２００個分の画素を記録する場合、１インチを２００で割った距離（約０．１２ｍｍ）だけ搬送される度に記録ユニット２２によって記録動作が行われる。そのためコピー際の副走査方向の記録用紙の搬送量が小さければ、１インチ当たりの記録画素数が多くなって、記録密度は高くなるのに対し、記録用紙の副走査方向の搬送量が大きくなれば、１インチ当たりの記録画素数が少なくなって、記録密度は小さくなる。
【００４５】
そして、前記音量調節キー１６ａが、一定条件下で、解像度変更キー１６ａとなった場合、利用者がコピー動作のため解像度変更キー１６ａを操作すると、「細かい記録モード」または「普通の記録モード」に切り換えれる。この場合、制御部１７の制御の下に、記録ユニット２２は、「細かい記録モード」の場合、例えば、１平方インチ当たり３００×３００（主走査方向画素数×副走査方向画素数）の記録密度でコピーでき、また、「普通の記録モード」の場合、例えば、１平方インチ当たり３００×２００（主走査方向画素数×副走査方向画素数）の記録密度でコピーできる。
【００４６】
また、前記音量調節キー１６ｂが、一定条件下で、着信モード変更キー１６ｂとなった場合、利用者が着信モード変更キー１６ｂを操作することにより、制御部１７は、ＮＣＵ２４を制御して、「自動受信モード」、「手動受信モード」、「ファクシミリ通信モード」、「電話通話モード」及び「留守番電話」等に順番に切り換える。
【００４７】
次に、前記のように構成されたファクシミリ装置１の音量調節キー１６ａ、１６ｂの機能切替の制御動作について、図４に基づき説明する。図４は制御部１７による機能変更の動作を示すフローチャートである。
【００４８】
制御部１７は、原稿センサ２８からの検出信号を入力し、所定位置に原稿があるか否かを判別する（Ｓ１）。原稿があると制御部１７が判別した場合（Ｓ１：ＮＯ）、音量調節キー１６ａ、１６ｂは、解像度変更キー１６ａ及び着信モード変更キー１６ｂとなる（Ｓ２）。そして、解像度変更キー１６ａが押下されると、読取解像度またはコピーの際の記録密度における１平方インチ当たりの主走査方向画素数×副走査方向画素数が、例えば、（３００×３００）と（３００×２００）との間で交互に切り替わる。
【００４９】
また、着信モード変更キー１６ｂが押下されると、例えば、「自動受信モード」、「手動受信モード」等の切り換えの如く、着信モードが順次切り替わる。それにより、原稿が読取位置にセットされている場合には、制御部１７は、原稿センサ２８からの検出結果に基づき、前記音量調節キー１６ａ、１６ｂに解像度変更及び着信モード変更の機能を果たさせる。
【００５０】
このように音量調節キー１６ａ、１６ｂと、解像度変更キー１６ａ及び着信モード変更キー１６ｂとを共通化した理由は、利用者は原稿を所定の読取位置にセットした場合、原稿のコピーまたはファクシミリ送信等を行うつもりであって、音量調節キー１６ａ、１６ｂを用いて音量調節する意図はほとんど無いと考えられるからである。
【００５１】
ここで、制御部１７は、所定位置に原稿がないと判別した場合（Ｓ１：ＹＥＳ）、回線閉結状態であるかどうかを判別する（Ｓ３）。そして、回線閉結状態でない場合、すなわち、電話回線２５を介して通話等できない場合（Ｓ３：ＮＯ）、制御部１７は、音声再生モードか否かを判別する（Ｓ４）。  つまり、制御部１７が受話器１０が使用されていない（受話器載置部９上に受話器１０が載置されている）ことを検出した場合、または、スピーカホンキー１４が押下されていない（通話可能な状態でない）ことを検出した場合であっても、利用者が再生キー１５ｃを操作することにより留守番電話機能を使用することがあるため、制御部１７は再生キー１５ｃを操作による音声再生モードであるか否かを判別する。ここで、音声再生モードとは、留守番電話機能部１５が動作することにより、記憶エリア１９Ａに記憶されたデジタル音声情報をアナログ音声信号に変換して、アナログ音声信号をスピーカ２７から出力するモードをいう。
【００５２】
音声再生モードでない場合（Ｓ４：ＮＯ）、音量調節キー１６ａ、１６ｂは、前記と同様に、解像度変更キー１６ａ及び着信モード変更キー１６ｂとなる（Ｓ２）。このように設定した理由は、受話器１０が使用されていない（受話器載置部９上に受話器１０が載置されている）場合、及び、スピーカホンキー１４が押下されていない（通話可能な状態でない）場合であって、利用者が再生キー１５ｃを操作しない場合、留守番電話機能部１５が、アナログ音声信号をスピーカ２７から出力することはないので、キー１６ａ、１６ｂを音量調節キーとして機能させるよりも、解像度変更及び着信モード変更キーとして機能させる方が、利用者の使い勝手が良くなるからである。
【００５３】
ここで利用者が再生キー１５ｃを押下すると、制御部１７は音声再生モードであると判別する（Ｓ４：ＹＥＳ）ので、音量調節キー１６ａ、１６ｂは、スピーカ２７の音量調節キーとなる（Ｓ５）。具体的には、音量調節キー１６ａは、押下時間に比例してスピーカ２７の音量を増加させる機能を果たすとともに、音量調節キー１６ｂは、押下時間に比例してスピーカ２７の音量を減小させる機能を果たす。従って、利用者が再生キー１５ｃを押下し、制御部１７が、音声出力モードであることを判別し、且つ、制御部１７が、回線非閉結状態であると判別した場合に、制御部１７は、前記音量調節キー１６ａ、１６ｂに、スピーカ２７の音量増減機能を果たさせるので、音量調節キー１６ａ、１６ｂを適宜操作すれば、利用者は適切な音量で記憶エリア１９Ａに記憶されたメッセージを聴くことができる。
【００５４】
また、回線閉結状態である場合、すなわち、電話回線２５を介して通話等できる場合（Ｓ３：ＹＥＳ）、制御部１７は受話器１０が使用されているかどうかを判別する（Ｓ６）。ここで、利用者が受話器１０を使用せずに、スピーカホンキー１４を押下している場合（Ｓ６：ＮＯ）、音量調節キー１６ａ、１６ｂは、スピーカ２７の音量調節キーとなる（Ｓ５）。この場合、音量調節キー１６ａは、前述と同様に、押下時間に比例してスピーカ２７の音量を増加させる機能を果たすとともに、音量調節キー１６ｂは、押下時間に比例してスピーカ２７の音量を減小させる機能を果たす。
【００５５】
従って、受話器１０を使用せずに、スピーカホンキー１４を押下することにより回線を閉結した場合、制御部１７は、前記音量調節キー１６ａ、１６ｂに、スピーカ２７の音量増減機能を果たさせるので、利用者は適切な音量で記憶エリア１９Ａに記憶されたメッセージを聴くことができる。
【００５６】
一方、利用者がスピーカホンキー１４を押下してない場合（Ｓ６：ＹＥＳ）、音量調節キー１６ａ、１６ｂは、受話器１０の音量調節キーとなる（Ｓ７）。具体的には、音量調節キー１６ａは、押下時間に比例して受話器１０の音量を増加させる機能を果たすとともに、音量調節キー１６ｂは、押下時間に比例して受話器１０の音量を減小させる機能を果たす。従って、回線閉結状態であって、受話器１０を使用している場合、制御部１７は、前記音量調節キー１６ａ、１６ｂに、受話器（ハンドセット）１０の通話の音量増減機能を果たさせるので、音量調節キー１６ａ、１６ｂを適宜操作すれば、利用者は適切な音量で相手方と通話することができる。
【００５７】
以上詳述したように、この実施の形態の場合、ファクシミリ装置１は、回線閉結状態であるか否かを判別する制御部１７を備えており、この制御部１７は、音量調節キー１６ａ、１６ｂを回線非閉結状態の場合には解像度変更及び着信モード変更の機能キーとしても作動させることができる。そのため利用者は回線閉結状態にして、音量調節キー１６ａ、１６ｂを操作すれば、容易に音量調整ができるとともに、音量調節キー１６ａ、１６ｂを有効に利用できる。その結果、キーの個数が減って製造コストが低減化する。
【００５８】
また、受話器１０の他にスピーカ２７を介して音声を出力するファクシミリ装置１において、前記スピーカ２７を介して音声を出力するモードであるか否かを判別する制御部１７とを備えており、この制御部１７は音声出力モードの場合には音量調節キー１６ａ、１６ｂをスピーカ２７の音量調節キーとして作動させ、音声出力モードでない場合には、解像度変更及び着信モード変更として作動させる。それにより、利用者がスピーカホンキー１４を押下してスピーカ２７を出力状態にして、音量調節キー１６ａ、１６ｂを操作すれば、容易に音量調整ができる。
【００５９】
尚、本発明は前記実施形態に限定されることはなく、本発明の要旨を逸脱しない範囲内で種々の改良、変形が可能であることは勿論である。例えば、この発明の端末装置は、必ずしもファクシミリ装置である必要はなく、例えば、電話装置、コンピュータ等その他の端末装置であってもよい。また、音量調節キー１６ａ、１６ｂは音声出力モードでない場合には、解像度変更及び着信モード変更以外のその他の機能キーとして作動してもよい。
【図面の簡単な説明】
【００６０】
【図１】この発明を具体化した実施の形態のファクシミリ装置の外観斜視図である。
【図２】実施の形態のファクシミリ装置の操作パネルユニットを示す正面図である。
【図３】実施の形態のファクシミリ装置の制御系を示すブロック図である。
【図４】実施の形態の音量調節キーの機能変更の動作を示すフローチャートである。
【符号の説明】
【００６１】
１                  ファクシミリ装置
２                  装置本体
５                  操作パネルユニット
１０                受話器
１１                ダイアルキー
１４                スピーカホンキー
１６ａ、１６ｂ      音量調節キー
１７                制御部
１８                ＲＯＭ
１９                ＲＡＭ
１９Ａ、１９Ｂ      記憶エリア
２４                ＮＣＵ
２５                電話回線
２７                スピーカ
２８                原稿センサ
Ｍ                  マイク
【図１】
2006191680.tif 000003
【図２】
2006191680.tif 000004
【図３】
2006191680.tif 000005
【図４】
2006191680.tif 000006